(57)【要約】【課題】データ放送に印刷許可コンテンツがあった場合にその場で印刷できないユーザーの不便性を解消することができるデータ放送受信装置を提供する。【解決手段】移動体に搭載され、印刷許可コンテンツを選択的に含むデータ放送を受信する放送受信部を備える車載用放送受信装置５０において、受信したデータ放送に印刷許可コンテンツが含まれるか否かを監視し、印刷許可コンテンツが含まれる場合に、移動体外に設置され、印刷許可コンテンツの印刷に対応する録画装置２１に、印刷許可コンテンツを印刷可能に録画設定を行うようにした。【選択図】図１
2011091470.tif 000002
【特許請求の範囲】
【請求項１】
移動体に搭載され、印刷許可コンテンツを選択的に含むデータ放送を受信する放送受信部を備えるデータ放送受信装置において、
受信したデータ放送に印刷許可コンテンツが含まれるか否かを監視する監視部と、
前記印刷許可コンテンツが含まれる場合に、前記移動体外に設置され、前記印刷許可コンテンツの印刷に対応する録画装置に、前記印刷許可コンテンツを印刷可能に録画設定を行う遠隔録画制御部とを備えることを特徴とするデータ放送受信装置。
【請求項２】
前記遠隔録画制御部は、前記印刷許可コンテンツが含まれる場合に、前記録画設定を行うか否かをユーザーに選択させ、ユーザーの選択に応じて前記録画設定を行うことを特徴とする請求項１に記載のデータ放送受信装置。
【請求項３】
前記録画装置は、録画予約管理サーバーとのデータ通信により録画設定されるリモート録画対応の録画装置であり、
前記遠隔録画制御部は、前記録画予約管理サーバーとデータ通信して前記録画装置の録画設定を行うことを特徴とする請求項１又は２に記載のデータ放送受信装置。
【請求項４】
前記遠隔録画制御部は、前記録画予約管理サーバーから送信された予約結果確認メールを受信し、このメールに基づいて録画設定できたか否かを報知することを特徴とする請求項３に記載のデータ放送受信装置。
【請求項５】
前記放送受信部は、番組データとデータ放送とを含むデジタル放送を受信し、
前記監視部は、前記デジタル放送を受信してデータ放送を再生している場合に、そのデータ放送に印刷許可コンテンツが含まれるか否かを判定することを特徴とする請求項１乃至４のいずれかに記載のデータ放送受信装置。
【請求項６】
前記放送受信部は、番組データとデータ放送とを含むデジタル放送を受信し、
前記監視部は、前記デジタル放送を受信して番組データを再生している場合に、データ放送に印刷許可コンテンツが含まれるか否かを判定することを特徴とする請求項１乃至４のいずれかに記載のデータ放送受信装置。
【請求項７】
前記遠隔録画制御部は、録画モードをＴＳ録画モードに設定することにより印刷許可コンテンツを印刷可能に録画設定を行うことを特徴とする請求項１乃至６のいずれかに記載のデータ放送受信装置。
【発明の詳細な説明】
【技術分野】
【０００１】
本発明は、移動体に搭載され、印刷許可コンテンツを選択的に含むデータ放送を受信するデータ放送受信装置に関する。
【背景技術】
【０００２】
地上デジタル放送等のデータ放送の中には、印刷を許可する放送コンテンツ（印刷許可コンテンツ）が配信されており、家庭用テレビやプリンタ機器には、データ放送の印刷に対応したものが提供されている（例えば、特許文献１参照）。
印刷対応のテレビとプリンタとは、ＴＣＰ／ＩＰホームネットワーク環境に接続することで、例えば、旅番組のご当地情報や料理番組のレシピ等のテレビ番組内容と連動した情報（番組連動情報）、あるいは、占いや天気予報等の番組とは非連動の情報（番組非連動情報）をテレビのデータ放送ブラウザ画面に表示される印刷ボタンをリモートコントローラで操作することによって簡単にプリンタから印刷出力できる。
【先行技術文献】
【特許文献】
【０００３】
【特許文献１】特開２００９−１７２８７７号公報
【発明の概要】
【発明が解決しようとする課題】
【０００４】
ところで、車での移動環境では、車室内にプリンタを持ち込みホームネットワークと同様な車室内ネットワークを構築するのはスペースの制約等から難しく、ホーム用のテレビ印刷技術をそのまま車載機器に取り入れることは難しい。このため、現状では、テレビ印刷に対応する車載デジタルテレビ等の車載用データ放送受信装置は提供されていない。
しかし、移動中の車室内においても、ユーザーがデータ放送を閲覧して印刷許可コンテンツを印刷したい場合が考えられる。この場合、車室内の受信装置からインターネット経由で家庭のテレビ対応プリンタに印刷データを送信して印刷させる案や車室内のメモリーカードに印刷許可コンテンツデータを保存する案が考えられるが、この種の印刷許可コンテンツの外部出力は著作権の観点から規制されており、上記案の採用は難しい。
【０００５】
そこで、本発明の目的は、上述した従来の技術が有する課題を解消し、データ放送に印刷許可コンテンツがあった場合にその場で印刷できないユーザーの不便性を解消することができるデータ放送受信装置を提供することにある。
【課題を解決するための手段】
【０００６】
上記目的を達成するために、本発明は、移動体に搭載され、印刷許可コンテンツを選択的に含むデータ放送を受信する放送受信部を備えるデータ放送受信装置において、受信したデータ放送に印刷許可コンテンツが含まれるか否かを監視する監視部と、前記印刷許可コンテンツが含まれる場合に、前記移動体外に設置され、前記印刷許可コンテンツの印刷に対応する録画装置に、前記印刷許可コンテンツを印刷可能に録画設定を行う遠隔録画制御部とを備えることを特徴とする。
この構成によれば、受信したデータ放送に印刷許可コンテンツが含まれる場合に、移動体外に設置され、印刷許可コンテンツの印刷に対応する録画装置に、前記印刷許可コンテンツを印刷可能に録画設定を行うため、印刷許可コンテンツの印刷に対応する録画装置にて印刷対応することができる。従って、データ放送に印刷許可コンテンツがあった場合にその場で印刷できないユーザーの不便性を解消することができる。
【０００７】
上記構成において、前記遠隔録画制御部は、前記印刷許可コンテンツが含まれる場合に、前記録画設定を行うか否かをユーザーに選択させ、ユーザーの選択に応じて前記録画設定を行うようにしてもよい。この構成によれば、ユーザーの意志を適切に反映して適切に録画することができる。
また、上記構成において、前記録画装置は、録画予約管理サーバーとのデータ通信により録画設定されるリモート録画対応の録画装置であり、前記遠隔録画制御部は、前記録画予約管理サーバーとデータ通信して前記録画装置の録画設定を行うようにしてもよい。この構成によれば、既存のリモート録画対応の録画装置や録画予約管理サーバーを利用して録画することができる。
【０００８】
また、上記構成において、前記遠隔録画制御部は、前記録画予約管理サーバーから送信された予約結果確認メールを受信し、このメールに基づいて録画設定できたか否かを報知するようにしてもよい。この構成によれば、ユーザーが録画設定できたか否かを容易に知ることができる。
また、上記構成において、前記放送受信部は、番組データとデータ放送とを含むデジタル放送を受信し、前記監視部は、前記デジタル放送を受信してデータ放送を再生している場合に、そのデータ放送に印刷許可コンテンツが含まれるか否かを判定するようにしてもよい。この構成によれば、データ放送再生時に印刷許可コンテンツが含まれるか否か判定できる。
【０００９】
また、上記構成において、前記放送受信部は、番組データとデータ放送とを含むデジタル放送を受信し、前記監視部は、前記デジタル放送を受信して番組データを再生している場合に、データ放送に印刷許可コンテンツが含まれるか否かを判定するようにしてもよい。この構成によれば、データ放送内に印刷許可コンテンツがあった場合にいち早くユーザーに通知することができる。
また、上記構成において、前記遠隔録画制御部は、録画モードをＴＳ録画モードに設定することにより印刷許可コンテンツを印刷可能に録画設定を行うようにしてもよい。この構成によれば、印刷許可コンテンツを確実に印刷可能に録画することができる。
【発明の効果】
【００１０】
本発明によれば、データ放送に印刷許可コンテンツがあった場合にその場で印刷できないユーザーの不便性を解消することができる。
【図面の簡単な説明】
【００１１】
【図１】第１実施形態に係る車載用放送受信装置を含むデータ放送記録システムを示す図である。
【図２】車載用放送受信装置の構成を示すブロック図である。
【図３】録画装置リストを示す図である。
【図４】プリンタリストを示す図である。
【図５】リモート録画予約機能の設定動作を示すフローチャートである。
【図６】図５の続きのフローチャートである。
【図７】通常リモート録画予約処理を示すフローチャートである。
【図８】図７の続きのフローチャートである。
【図９】印刷許可コンテンツ監視処理を示すフローチャートである。
【図１０】印刷用録画予約タスクを示すフローチャートである。
【図１１】図１０の続きのフローチャートである。
【図１２】第２実施形態に係る印刷許可コンテンツ監視処理を示すフローチャートである。
【発明を実施するための形態】
【００１２】
以下、図面を参照して本発明の一実施の形態について説明する。
＜第１実施形態＞
図１は第１実施形態に係る車載用地上デジタル放送受信装置（データ放送受信装置）５０を含むデータ放送記録システム１０を示す図である。
車載用地上デジタル放送受信装置（以下、車載用放送受信装置という）５０は、移動体である車両に搭載され、地上デジタル放送の放送通信網から放送される放送波を受信し、ユーザーである運転者等の乗員の視聴に供される装置である。
このデータ放送記録システム１０において、車載用放送受信装置５０以外は、ユーザーの自宅等に構築されたホームネットワークシステム１１を構成している。このホームネットワークシステム１１は、公知の装置で構成されている。
【００１３】
詳述すると、このホームネットワークシステム１１は、リモート録画対応の家庭用地上デジタル放送録画装置（以下、録画装置という）２１と、録画装置２１の映像出力機器等として機能するテレビ２３と、地上デジタル放送に選択的に含まれる印刷許可コンテンツの印刷に対応したプリンタ（印刷対応プリンタ）２５とを備えている。これら装置２１、２３、２５は、ＴＣＰ／ＩＰホームネットワークに接続され、録画装置２１により受信した地上デジタル放送内の印刷許可コンテンツ（例えば、番組連動情報、番組非連動情報）をプリンタ２５から印刷できるように構成されている。
【００１４】
なお、図１中、符号１２は通信ケーブルであり、符号１３は、地上デジタル受信用のアンテナであり、符号１４は、アンテナ１３の受信信号を増幅するブースターであり、符号１５はアンテナケーブルであり、符号１６は、複数本の通信ケーブル１２が接続されるブロードバンドルータ又はハブであり、符号１７は、放送通信網とは異なる通信網であるインターネットＩＮに接続するためのインターネット接続機器である。
また、テレビ２３は、地上デジタル放送受信機能を具備するデジタルテレビ（ＤＴＶ）であり、テレビ２３が印刷対応している場合は、テレビ２３により受信した印刷許可コンテンツについてもプリンタ２５から印刷することができる。
【００１５】
放送中のデータ放送は、録画装置２１やテレビ２３のＢＭＬ（Ｂｒｏａｄｃａｓｔｉｎｇ  Ｍａｒｋｕｐ  Ｌａｎｇｕａｇｅ）ブラウザによって解析される。ＢＭＬブラウザは、印刷許可コンテンツが含まれていた場合、録画装置２１やテレビ２３が印刷対応していれば、印刷ボタンを表示有効化し、録画装置２１の映像出力機器であるテレビ２３に表示させる。そして、ユーザーがリモートコントローラ（不図示）を操作して印刷ボタンを操作すればプリンタ２５から印刷出力される。
一方、録画装置２１やテレビ２３が印刷対応していなければ、ＢＭＬブラウザは、印刷ボタンを非表示にするか、印刷ボタンを無効化し、印刷非対応の旨を表示する。本実施形態では、少なくとも録画装置２１がリモート録画対応で印刷対応している。
【００１６】
プリンタ２５には、通信サーバー機能が搭載されており、ユーザーは、録画装置２１に搭載されたＷＥＢブラウザを使用し、プリンタ２５のＩＰアドレスを指定してＷＥＢブラウザを介してプリンタ２５にアクセスし、印刷用紙サイズ、用紙種類、印刷画質等の各種設定を行うことができる。
印刷許可コンテンツのデータは、録画装置２１で印刷ジョブが発生すると、通信回線を介してプリンタ２５にＸＨＴＭＬ−Ｐｒｉｎｔフォーマット形式でデータ転送される。ＸＨＴＭＬ−Ｐｒｉｎｔは、ＸＨＴＭＬをモジュール化することによって規定されたＸＨＴＭＬ言語体系のうちの一つであり、Ｗ３Ｃ（Ｗｏｒｌｄ  Ｗｉｄｅ  Ｗｅｂコンソーシアム）により策定され、プリンタ専用のドライバをインストールできない、或いは、インストールが望ましくないような環境での印刷を可能にするプリンタインターフェース言語として、モバイルデバイスやテレビ等と低価格プリンタ間のデバイスプリンティングを可能にする。
【００１７】
次に車載用放送受信装置５０について説明する。
図２は、車載用放送受信装置５０の構成を示すブロック図である。
車載用放送受信装置５０は、種々のメディア（インターネット、メール、圧縮音声再生）を可能とした総合環境下で地上デジタルの受信ブロックが動作する構成となっており、種々のメディア（インターネット、メール、圧縮音声再生）に対応するための拡張スロット５１を備えている。そして、この拡張スロット５１に無線通信用のデータ通信カード５２を挿入することにより、インターネットＩＮに接続するための通信機能及びメール送受信機能を具備し、この拡張スロット５１にメディアカード５３を挿入することにより、メディアカード５３に記録された圧縮音声データを再生できるように構成されている。また、車載用放送受信装置５０は、Ｔｅｘｔ  ｔｏ  Ｓｐｅｅｃｈ機能を具備し、この機能を使うことにより、メールの文字認識を行いメールの文章に対応する音声を再生することもできる。
【００１８】
これらのインターネット、メール送受信、圧縮音声再生等の各種処理は、メイン制御部６１の制御の下、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）６２、ＵＳＢコントローラ６３、操作部６４、映像処理部６５及び音声処理部６６が協調動作することにより行われる。
操作部６４は、ユーザーからの操作を入力するための操作キーやリモートコントローラ（リモコン）からの信号を受信する受信部を備えており、映像処理部６５は、上記各種処理の映像に関する処理を行い、例えば、ディスプレイ６７への各種表示処理を行い、音声処理部６６は、上記各種処理の音声に関する処理を行い、例えば、圧縮音声データの伸長処理等を行う。
なお、図中、符号６８は、最初に実行されるプログラムデータ等を格納するブート用メモリであり、符号６９、７０は、メイン制御部６１用や映像処理部６５用のメモリであり、符号７１、７２は、音声処理部６６の出力側に配置される音声Ｄ／Ａコンバータであり、符号７３はバスコントローラである。
【００１９】
地上デジタルの受信ブロックは、チューナー部８１とＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）復調部８２とを備えるフロントエンド８３、ＭＰＥＧ（Ｍｏｖｉｎｇ  Ｐｉｃｔｕｒｅ  Ｅｘｐｅｒｔｓ  Ｇｒｏｕｐ）デコーダ８４、ＤＴＶ（デジタルテレビ）制御部８５、Ｂ−ＣＡＳカード読み取り用のカードドライバ８６、映像アンプ８７、音声Ｄ／Ａコンバータ８８、音声切替スイッチ８９、ミキサ９０、オーディオアンプ９１、タッチパネル（不図示）を備えたディスプレイ６７及びスピーカ９２を備える。なお、図中、符号９３、９４は、ＭＰＥＧデコーダ８４やＤＴＶ制御部８５等が使用するメモリである。
また、この車載用放送受信装置５０は、各種メディアと地上デジタルとの映像・音声切り換えや電源管理を行うオーディオ／ビデオ・電源管理の制御部９５を有しており、この制御部９５は、メイン制御部６１やＤＴＶ制御部８５等とデータ通信を行うことで、ディスプレイ６７や音声切替スイッチ８９等を制御して映像・音声切り換えを行う。
すなわち、この車載用放送受信装置５０では、この装置５０の各部を制御する制御部（遠隔録画制御部）１００が、メイン制御部６１とＤＴＶ制御部８５とオーディオ／ビデオ・電源管理の制御部９５とで構成されており、以下、これらを制御部１００と表記する。
【００２０】
チューナー部８１は、複数のチューナー８１Ａを具備し、ダイバーシティ受信をするための複数のアンテナ８１Ｂから、地上デジタル放送の各チャンネルのＲＦ信号（受信信号）を各々入力し、各チューナー８１Ａにより、デジタル放送の各チャンネルのＲＦ信号の中から、制御部１００により指定されたチャンネルの信号を受信して出力する。
ＯＦＤＭ復調部８２は、各チューナー出力を復調し合成ダイバー処理を行うものであり、より具体的には、チューナー部８１の出力信号をＡ／Ｄ変換してデジタル信号に変換し、変換したデジタル信号を例えば数千のキャリアに分割し、キャリア毎に位相を合わせて合成（例えば周知の最大比合成）処理を行った上で復調する。これにより、デジタル放送中のＭＰＥＧ−２トランスポートストリーム信号（以下、ＴＳ信号という）を得る。
【００２１】
ＭＰＥＧデコーダ８４は、制御部１００の制御の下、ＯＦＤＭ復調部８２から出力されるＴＳ信号をデコードし、ＴＳ信号をデジタル映像信号及びデジタル音声信号にデコードする。このデジタル映像信号は、映像アンプ８７で増幅されてディスプレイ６７に出力され、デジタル音声信号は、音声Ｄ／Ａコンバータ８８でアナログ音声信号に変換されて、音声切替スイッチ８９やオーディオアンプ９１を介してスピーカ９２に出力される。これによって、地上デジタル放送の番組映像がディスプレイ６７の画面に表示されるとともに、番組音声がスピーカ９２から放音される。
【００２２】
ところで、車室内にプリンタを持ち込みホームネットワークと同様な車室内ネットワークを構築するのはスペースの制約等から困難である。そこで、本実施形態の車載用放送受信装置５０は、ユーザーが自宅等に地上デジタル放送の印刷許可コンテンツの印刷に対応した録画装置２１とそれに対応したプリンタ２５を所有している場合に、外出中の車室内でデータ放送に印刷許可コンテンツがあった際は、リモート録画（遠隔地からインターネット通信を利用して録画装置２１に番組録画予約すること）を勧める機能（リモート録画予約機能）を具備するようにしている。
【００２３】
ここで、上記録画装置２１は、市場に販売展開されたリモート録画対応録画装置であり、この種のリモート録画対応録画装置は、この機器のメーカー（家電メーカー）等がインターネットＩＮ上に構築した録画予約管理サーバー３１（図１参照）とのデータ通信により録画予約が可能となっている。
本実施形態では、車載用放送受信装置５０のメーカー（車載機器メーカー）が、販売展開される家庭用リモート録画対応録画装置のリスト（以下、録画装置リストという）と、プリンタのリスト（以下、プリンタリストという）とを作成し、インターネットＩＮ上のサーバー（以下、リスト保持サーバーという）３２（図１参照）に格納し、これら情報リストを、リスト保持サーバー３２とのデータ通信により車載用放送受信装置５０が取得できるように構成している。
【００２４】
図３は録画装置リストを示す図であり、図４はプリンタリストを示す図である。
録画装置リストは、市場に販売展開されている録画装置（録画装置２１を含む）及び録画機能付きデジタルテレビ（ＨＤＤ内蔵デジタルテレビやディスクレコーダ機能付きデジタルテレビ）のうち、リモート録画予約に対応している機種について作成され、図３に示すように、メーカー、型番、機器に対応した録画予約管理サーバーのサイトＵＲＬ、データ放送ＢＭＬブラウザの有無、ＴＳモード録画の可否、データ放送印刷対応の有無を対応づけたリスト情報とされる。
ここで、ＴＳモード録画とは、ＭＰＥＧ２−ＴＳ（Ｔｒａｎｓｐｏｒｔ  Ｓｔｒｅａｍ）の録画モードであり、地上デジタル放送で送信された内容をそのままの形でデジタル記録する。本明細書のＴＳ録画モードでは、少なくとも番組の映像・音声に加え、データ放送内の印刷許可コンテンツの情報が記録される。なお、ＴＳモード録画以外の録画モードとしては、ＭＰＥＧ２−ＴＳ方式で受信したデータをＭＰＥＧ２−ＰＳ（Ｐｒｏｇｒａｍ  Ｓｔｒｅａｍ）方式に変換してから記録する「ＸＰモード」、「ＳＰモード」、「ＥＰ／ＬＰモード」などがあり、通常、印刷許可コンテンツの情報は記録されない。
【００２５】
図４に示すように、プリンタリストは、市場に販売展開されているプリンタ（プリンタ２５を含む）のメーカー、型番情報を対応づけたリスト情報である。これらの録画装置リストやプリンタリストは、例えば、車載用放送受信装置５０のメーカーが調査して作成し、リスト保持サーバー３２にアップロードされる。
車載用放送受信装置５０は、ユーザーによりリモート録画予約の初期設定が行われる際に、制御部１００の制御の下、データ通信カード５２による無線データ通信によりリスト保持サーバー３２にアクセスし、上記の情報リスト（録画装置リストとプリンタリスト）を取得し、内部のメモリ６９に格納する。
【００２６】
車載用放送受信装置５０のリモート録画予約機能を利用する場合には、ユーザーが車載用放送受信装置５０の初期設定を行う必要がある。なお、この初期設定を行う前提として、事前にユーザーは、自宅で録画装置２１の通信設定を行い、録画装置２１に対応した録画予約管理サーバー３１のサイトにアクセスし、ユーザー登録を済ましているものとする。この場合のユーザー登録は、少なくとも自宅の録画装置２１の情報登録と、このサーバー３１から送信される予約確認メールの送り先（本実施形態では車載用放送受信装置５０のメールアドレス）の登録を含んでいる。
【００２７】
図５及び図６は、リモート録画予約機能の設定動作を示すフローチャートである。なお、本実施形態では、リモート録画予約機能として、ユーザーが番組データ放送を視聴中、常にリモート録画予約を可能にする第１のリモート録画予約機能と、ユーザーが番組データ放送を視聴中に印刷許可コンテンツがあった際に、リモート録画予約を可能にする第２のリモート録画予約機能とがある。
以下、説明を判りやすくするため、第１のリモート録画予約機能をリモート録画予約機能（通常時）、第２のリモート録画予約機能をリモート録画予約機能（印刷時）と適宜、表記する。また、以下の説明する操作部６４は、操作キー、リモコン、ディスプレイ６７のタッチパネル等の操作系全体を含むものとする。
【００２８】
図５に示すように、この車載用放送受信装置５０において、当該装置５０の最初の電源投入時には、制御部１００が、リモート録画予約機能（通常時）及びリモート録画予約機能（印刷時）の両方について「ＯＦＦ」を設定する（ステップＳ１）。つまり、デフォルトの状態では、リモート録画予約機能（通常時）及びリモート録画予約機能（印刷時）の両方が無効とされ、リモート録画しない設定とされる。なお、上記「ＯＦＦ」や後述する「ＯＮ」の情報は、設定情報として、メモリ６９の予め定められた領域に記録される。
【００２９】
次に、ユーザーにより操作部６４を介して初期設定のリモート録画予約機能の設定が選択されると、具体的には、ディスプレイ６７に表示された不図示の初期設定画面のリモート録画予約機能設定ボタンが操作されると（ステップＳ２）、制御部１００は、まず、データ通信カード５２の接続テストを行う（ステップＳ３）。
この場合、制御部１００は、ディスプレイ６７にデータ通信カード５２のテストを開始する旨（例えば、「データ通信カードのテストを行います。データ通信カードをＵＳＢコネクタに接続して下さい。」）を表示し、データ通信カード５２の接続が確認できたら（ステップＳ４：ＯＫ）、「データ通信カードを確認しました。」と表示し、次のステップＳ５の処理に移行する。
【００３０】
一方、データ通信カード５２の確認ができなかった場合（ステップＳ４：ＮＧ）、制御部１００は、データ通信カードの再接続・再テストを促す旨（例えば、「通信カードを確認できませんでした。データ通信カードを接続して最初からやり直して下さい。」）を表示し、リモート録画予約機能（通常時）及びリモート録画予約機能（印刷時）の両方について「ＯＦＦ」を設定し（ステップＳ３１）、初期設定画面を表示した状態に戻す。
【００３１】
ステップＳ５の処理では、制御部１００は、データ通信カード５２により無線通信でリスト保持サーバー３２にアクセスし、サーバー３２に保持される情報リスト（録画装置リストとプリンタリスト）をダウンロードする。この場合、車載用放送受信装置５０に以前ダウンロードした情報リストが存在していた場合には、制御部１００は、サーバー３２に保持される情報リストと、車載用放送受信装置５０に保持される同リストの作成日時を比較し、最新の情報リストがサーバー３２にある場合にサーバー３２から情報リストをダウンロードして最新のデータに更新し、そうでない場合には情報リストを更新しない。
【００３２】
次いで、制御部１００は、ユーザー所有の録画装置２１の調査処理を行う。この場合、制御部１００は、リモート録画対応機器の所有の有無を問い合わせ（ステップＳ６）、所有している場合は（ステップＳ６：ＹＥＳ）、所有するリモート録画対応機器の機種を調査し（ステップＳ７）、その機種に対応する録画予約管理サーバー３１のサイトにユーザー登録済みか否かを確認する（ステップＳ８）。
具体的には、制御部１００は、ステップＳ７において、「ご自宅に所有しているデジタルテレビ／ハイビジョンレコーダを調査します。下記のプルダウンリストに該当する機種はありますか？」と表示するとともに、録画装置リストに記述される機器を特定する情報（本実施形態ではメーカー、型番）をリスト表示する。そして、ユーザーによりリスト表示された中からリモート録画対応機器が選択された場合には、制御部１００は、ステップＳ８に移行して、「録画予約管理サーバーにユーザー登録していますか？」と表示し、ユーザーからの入力を待ち受ける。
【００３３】
リモート録画対応機器が選択されなかった場合（ステップＳ６：ＮＯ）、又は、録画予約管理サーバー３１のサイトにユーザー登録していないと確認した場合（ステップＳ８：ＮＯ）、制御部１００は、リモート録画できない旨（例えば、「リモート録画予約はできません」）を表示し、初期設定画面に戻す。この場合、ステップＳ３１の処理が実行され、リモート録画予約機能（通常時）及びリモート録画予約機能（印刷時）の両方について「ＯＦＦ」が設定される。
【００３４】
一方、録画予約管理サーバー３１のサイトにユーザー登録済みであると確認した場合（ステップＳ８：ＹＥＳ）、制御部１００は、ユーザー登録を行った録画予約管理サーバー３１の確認処理を行う。この場合、制御部１００は、ユーザー登録を行った録画予約管理サーバー３１のサイトＵＲＬを情報リストから取得し（ステップＳ９）、録画予約管理サーバー３１へ通信接続を試み（ステップＳ１０）、通信接続できたか否かを判定する（ステップＳ１１）。そして、通信接続できた場合、ログインを促すステップＳ１２の処理へと移行する。
具体的には、このステップＳ８〜ステップＳ１１の処理では、制御部１００は、ディスプレイ６７に「ユーザー登録を行った録画予約管理サーバーサイトを確認します。ユーザー登録を行った録画予約サイトを下記のプルダウンリストから選択して下さい。」と表示し、ユーザーが先に選択した機器に対応する録画予約管理サーバー３１のサイトＵＲＬをリスト表示する。そして、ユーザーがユーザー登録した録画予約管理サーバー３１のサイトをリストから選択できた場合は、ステップＳ１０の処理へ移行し、「インターネットブラウザを起動し、録画予約サーバーサイトに接続テストを行います。」と表示すると共に、ＷＥＢブラウザを起動して通信接続処理を行い、通信接続できた場合にステップＳ１２に移行し、通信接続できない場合には、ステップＳ３１の処理に移行して初期設定画面の表示状態に戻す。
【００３５】
ステップＳ１２の処理では、制御部１００は、ユーザーにログインを促し、このログインに用いられたＩＤ（識別情報）、パスワードを保存し、続くステップＳ１３において、ユーザーに録画予約管理サーバー３１への登録情報（お客様登録情報に相当）が合っているか否かの確認を促し、合っていれば、ログアウトさせてＷＥＢブラウザを閉じさせ、続くステップＳ１４において、ＷＥＢブラウザの閲覧履歴を参照し、ログインできたか否かを判定する。
具体的には、このステップＳ１２〜ステップＳ１４の処理では、制御部１００は、「サイトに接続したらログインし、お客様情報が合っているか確認し、確認できましたらログアウトしてブラウザを閉じて下さい。」と表示し、ログイン時にオートコンプリート（自動入力）機能を有効にしておくことで、ログインに用いられたＩＤ、パスワードを保存する。そして、ブラウザが閉じられたらブラウザの閲覧履歴からログインできたか否かを判定する。
【００３６】
制御部１００は、ログインできていた場合には、閲覧履歴中のＵＲＬをリモート録画予約サイトの専用ＵＲＬ（リモート録画予約専用ＵＲＬ）として識別可能に登録し（ステップＳ１５）、続くステップＳ１６の処理へと移行する。一方、ログインできていない場合には、「録画予約サイトにログインできていません。リモート録画予約できません。」と表示し、ステップＳ３１の処理に移行して初期設定画面の表示状態に戻す。
ステップＳ１６では、制御部１００は、ユーザーに通常時のリモート録画予約機能を使うか否かの問い合わせを行い、使うが選択された場合は、リモート録画予約機能（通常時）を「ＯＮ」に設定し（ステップＳ１７）、使わないが選択された場合は、リモート録画予約機能（通常時）を「ＯＦＦ」に設定する（ステップＳ１８）。
【００３７】
次いで、制御部１００は、ユーザーが所有するリモート録画対応機器（録画装置２１）が、車載用放送受信装置５０のリモート録画予約機能に対応するか否かを確認する（ステップＳ１９）。具体的には、制御部１００は、録画装置リストに基づき、ＴＳモード録画に対応する第１条件、放送中の印刷許可コンテンツを取得できるＢＭＬブラウザを搭載する第２条件、及び、印刷許可コンテンツの印刷に対応する第３条件を満たすか否かを確認し、第１〜第３条件の全てを満たしている場合に、ステップＳ２０の判定処理で、リモート録画予約機能に対応する機器と判定する。
この判定で、リモート録画予約機能に対応すると判定した場合（ステップＳ２０：ＹＥＳ）、制御部１００は、ユーザー所有のプリンタ２５の調査処理を行う。
一方、リモート録画予約機能に対応しないと判定した場合（ステップＳ２０：ＮＯ）、制御部１００は、リモート録画予約機能（印刷時）を「ＯＦＦ」に設定して（ステップＳ３２）、初期設定画面を表示した状態に戻す。
【００３８】
ステップＳ２０以降に行うプリンタ調査処理として、制御部１００は、印刷許可コンテンツの印刷に対応したプリンタ（以下、印刷対応プリンタという）の所有の有無を問い合わせ（ステップＳ２１）、所有している場合は、所有する印刷対応プリンタの機種を調査する（ステップＳ２２）。
具体的には、制御部１００は、「続けてお客様所有のプリンタを調査します。データ放送には印刷可能なコンテンツを含む場合があります。ご自宅にデータ放送の印刷に対応したプリンタをお持ちの場合、車室内からご自宅の録画装置にＴＳ録画モードでリモート録画をしておき、ご帰宅後に、録画番組を再生させ、データ放送を起動し、ブラウザ画面上に表示される印刷ボタンを操作することによって、印刷用コンテンツをプリンタに印刷出力することができます。但し、録画装置とプリンタはＴＣＰ／ＩＰネットワーク環境上に接続されている必要があります。  ご家庭にプリンタをお持ちの場合、下記のプルダウンリスト中に該当するプリンタはありますか？」と表示するとともに、プリンタリストに記述される機器を特定する情報（本実施形態ではメーカー、型番）をリスト表示する。そして、制御部１００は、ユーザーによりリスト表示された中から印刷対応プリンタが選択された場合、ステップＳ２３に移行する一方、印刷対応プリンタが選択されなかった場合（該当なしが選択された場合）、「データ放送の印刷コンテンツは利用できません。」と表示し、ステップＳ３２の処理に移行する。
【００３９】
ステップＳ２３では、制御部１００は、ユーザーにリモート録画予約機能（印刷時）を使うか否か（有効／無効のいずれにするか）の問い合わせを行う。具体的には、制御部１００は、「番組視聴中データ放送内に印刷コンテンツがあった場合に通知し、リモート録画予約サイトへ誘導する機能を使いますか？印刷コンテンツがあった場合、画面タスクトレイ上にリモート録画予約（印刷）アイコンが表示されます。この機能を使いますか？」と表示し、ユーザーからの入力操作を待ち受ける。
リモート録画予約機能を使う（有効にする）が選択された場合、制御部１００は、リモート録画予約機能（印刷時）を「ＯＮ」に設定して初期設定画面の表示状態へと戻す（ステップＳ２４）。この場合、制御部１００は、「番組視聴中データ放送内に印刷コンテンツがあった場合、リモート録画予約（印刷）アイコンをタスクトレイ上に表示します。アイコンをクリックすると、インターネットブラウザを立ち上げ、リモート録画予約サイトへ誘導します。録画予約サイト上から放映中の番組を選択し、ＴＳ録画モードで録画予約して下さい。なお、データ放送コンテンツには、有効期限があり、コンテンツが放送局、その他サーバーサイトにリンクされているような場合、期限を過ぎると、データが削除・変更されてしまう可能性があるのでご注意下さい。」と表示し、ユーザーに操作方法及び注意点を報知する。
【００４０】
一方、リモート録画予約機能を使わない（無効にする）が選択された場合、制御部１００は、リモート録画予約機能（印刷時）を「ＯＦＦ」に設定して初期設定画面の表示状態へと戻す（ステップＳ２５）。この場合、制御部１００は、「番組視聴中データ放送内に印刷コンテンツがあっても、リモート録画予約（印刷）アイコンは表示されません。」と表示する。以上がリモート録画予約機能の設定動作である。
このようにして、ユーザーが所有するリモート録画対応機器（録画装置２１）が上記第１〜第３条件の全てを満たし、ユーザーが所有するプリンタ２５が印刷対応プリンタであって、かつ、ユーザーがリモート録画予約機能（印刷時）を使うと希望した場合にだけ、リモート録画予約機能（印刷時）が「ＯＮ」（有効）に設定される。
【００４１】
次に、車載用放送受信装置５０のリモート録画予約機能（通常時）の処理（通常リモート録画予約処理）を説明する。
図７及び図８は、この処理（通常リモート録画予約処理）の流れを示すフローチャートである。なお、この処理は、車中でユーザーが車載用放送受信装置５０を操作してデジタルテレビをモード選択し、車載用放送受信装置５０で地上デジタル放送を受信し、テレビ番組を再生開始した場合に実行される。また、前提として、リモート録画予約機能の設定は完了し、データ通信カード５２が正常動作しているものとする。
制御部１００は、ユーザー指示に基づきテレビ起動を開始すると、リモート録画予約機能（通常時）が「ＯＮ」であれば（ステップＳ１Ａ：ＯＮ）、録画予約タスクを起動し（ステップＳ２Ａ）、ディスプレイ６７の画面のタスクトレイ上にリモート録画予約アイコンを表示する（ステップＳ３Ａ）。
このリモート録画予約アイコンは、テレビ番組を表示中の場合に限らず、地上デジタル放送に含まれているＥＰＧ（Ｅｌｅｃｔｒｏｎｉｃ  Ｐｒｏｇｒａｍ  Ｇｕｉｄｅ）、つまり、電子番組表を表示している場合にも表示される。
【００４２】
一方、リモート録画予約機能（通常時）が「ＯＦＦ」であれば（ステップＳ１Ａ：ＯＦＦ）、制御部１００は、録画予約タスクを起動せず、或いは、録画予約タスク起動後であれば起動停止することで非起動にし（ステップＳ４Ａ）、リモート録画予約アイコンは表示しない。
【００４３】
リモート録画予約アイコンを表示した場合、制御部１００は、ユーザーからのリモート録画予約要求を待機する（ステップＳ５Ａ）。そして、操作部を介してユーザーがリモート録画予約アイコンを操作すると（ステップＳ６Ａ：ＹＥＳ）、リモート録画予約要求として制御部１００に通知され、制御部１００は、ユーザーが初期設定で選択した録画予約管理サーバー３１へ接続すべく、ステップＳ７Ａの処理へ移行する。
一方、制御部１００は、データ通信カード５２が正常動作していない場合（ステップＳ７Ａ：ＮＯ）、「データ通信カードを確認した後、再試行して下さい。」と表示するユーザー報知処理を行い（ステップＳ３１Ａ）、ＷＥＢブラウザを閉じてステップＳ５Ａの処理に移行する。また、制御部１００は、通信接続ＮＧの場合（ステップＳ９Ａ：ＮＧ）、「現在、録画予約管理サーバーに接続できません。」と表示するユーザー報知処理を行い（ステップＳ３２Ａ）、ＷＥＢブラウザを閉じてステップＳ５Ａの処理に移行する。
【００４４】
制御部１００は、ステップＳ７Ａの処理でデータ通信カード５２が正常動作していると判定すれば（ステップＳ７Ａ：ＹＥＳ）、ＷＥＢブラウザを起動し、初期設定で取得した録画予約管理サーバー３１のＵＲＬ（リモート録画予約専用ＵＲＬ）を用いて通信接続を行い（ステップＳ８Ａ）、通信接続ＯＫであれば（ステップＳ９Ａ：ＯＫ）、ログイン画面に接続されるので、オートコンプリート（自動入力）機能によりＩＤ、パスワードが自動入力され、ログインボタンにフォーカスされる（ステップＳ１０Ａ）。
このようにして、リモート録画予約アイコンを操作すると、リモート録画予約のためのログイン画面へ案内され、ユーザーが操作部６４を介してログインボタンを操作すると、容易にログインすることができる。このため、ユーザーは、車載用放送受信装置５０を経由して録画予約管理サーバー３１に録画設定を行い、自宅に所有する録画装置２１の録画設定を行うことができる。
ユーザーが録画設定した後にログアウトし（ステップＳ１１Ａ）、ＷＥＢブラウザを閉じると、制御部１００は、元の表示画面（視聴していた元のテレビ番組又は電子番組を表示した画面）に自動復帰させ（ステップＳ１２Ａ）、予約結果確認メールの受信を待機する（ステップＳ１３Ａ）。
【００４５】
予約結果確認メールは、録画予約管理サーバー３１が録画設定された場合に、事前に登録された宛先に対し、予約成功したか否かの情報や予約内容等の情報を記述して送られる電子メールである。録画予約管理サーバー３１においては、事前にメールの送り先が、車載用放送受信装置５０とされるので、該メールが車載用放送受信装置５０に送られる。
車載用放送受信装置５０において、制御部１００は、予約結果確認メールを受信すると（ステップＳ１４Ａ）、メール内容を解析し（ステップＳ１５Ａ）、録画の予約成功か失敗かの旨を音声合成処理による音声出力或いは映像出力等でユーザーに報知する報知処理を行う。
具体的には、制御部１００は、メール内容を解析した結果、予約成功であれば（ステップＳ１６Ａ：ＹＥＳ）、成功の旨を音声出力或いは映像出力等でユーザーに報知し（ステップＳ１７Ａ）、予約失敗であれば（ステップＳ１６Ａ：ＮＯ）、失敗の旨を音声出力或いは映像出力等でユーザーに報知する（ステップＳ３３Ａ）。
【００４６】
また、予約成功である場合、制御部１００は、この予約内容を記述した録画予約リストを作成して保存する。具体的には、制御部１００は、予約結果確認メール内に予約内容の情報（例えば、録画番組のチャンネル、放送日時、番組名等）が記述されているか否かを判定し（ステップＳ１８Ａ）、記述されていれば（ステップＳ１８Ａ：ＹＥＳ）、メール内の予約内容の情報を、予め規定された録画予約リストに追加し（ステップＳ１９Ａ）、記述されていなければ（ステップＳ１８Ａ：ＮＯ）、制御部１００が取得できる範囲の予約内容（本実施形態では、予約日時）を、上記録画予約リストに追加する（ステップＳ３４Ａ）。
この録画予約リストは、ユーザーの指示に応じて制御部１００が読み出してディスプレイ６７に表示でき、これによって、ユーザーは、録画予約の一覧を確認できるようになっている。
なお、上記ステップＳ１９Ａ、３４Ａ及び３３Ａの処理実行後は、ステップＳ５Ａのリモート録画予約要求の待機状態へと移行する。以上が、リモート録画予約機能（通常時）の動作である。これによれば、ユーザーは、外出中の車内で録画したい番組があったとき、自宅の録画装置２１のリモート録画予約を容易に行うことができる。
【００４７】
次いで、車載用放送受信装置５０のリモート録画予約機能（印刷時）の処理（印刷時リモート録画予約処理）を説明する。
この処理は、デジタル放送のデータ放送再生中に印刷許可コンテンツがあった場合に印刷用録画予約タスクを起動する印刷許可コンテンツ監視処理と、印刷許可コンテンツ監視処理によって起動される印刷用録画予約タスク処理とがある。なお、これら処理は、リモート録画予約機能（印刷時）が「ＯＮ」の場合に実行され、リモート録画予約機能（印刷時）が「ＯＮ」に設定されているものとする。
図９は、印刷許可コンテンツ監視処理の流れを示すフローチャートである。
この印刷許可コンテンツ監視処理は、デジタル放送の番組データの再生中（ユーザーが番組視聴中）に、ユーザーが操作部６４を介してチャンネル選局した場合や、次の番組に移行した場合に実行される。
まず、制御部１００は、チャンネル選局時や次番組移行時、データ放送のデータ取得を行い（ステップＳ１Ｃ）、ユーザーにより操作部６４を介してデータ放送の起動（再生）指示（いわゆる「ｄ」ボタンの操作）があると（ステップＳ２Ｃ）、ＢＭＬブラウザを起動し（ステップＳ３Ｃ）、ユーザーの指示に応じてＢＭＬブラウザが、取得したデータ中にあるブラウザ動作を記述したＥＣＭＡスクリプトを実行し、ＥＣＭＡスクリプトに記述してある制御文の流れに従い制御を実行する。
【００４８】
制御部１００は、ＢＭＬブラウザの制御実行中に、車載用放送受信装置（受信機）５０に、印刷機能の有無を調査する問い合わせがあったか否かを判定する（ステップＳ５Ｃ）。より具体的には、ＥＣＭＡスクリプト中に、ブラウザ（受信機）に組み込まれている機能を調査する以下の関数呼び出しがあるか否かを確認する。
関数：ｇｅｔＢｒｏｗｓｅｒＳｕｐｐｏｒｔ（ｓＰｒｏｖｉｄｅｒ，ｆｕｎｃｔｉｏｎｎａｍｅ，ａｄｄｉｔｉｏｎａｌｉｎｆｏ）
引数指定：ｆｕｎｃｔｉｏｎｎａｍｅ＝ＡＰＩＧｒｏｕｐ，ａｄｄｉｔｉｏｎａｌｉｎｆｏ＝Ｐｒｉｎｔ．Ｂａｓｉｃ
上記引数指定は、ブラウザ（受信機）の拡張機能の対応を問うものであり、そのうち、印刷機能対応の有無を調査するものである。上記関数呼び出しがあった場合には、続くステップＳ６Ｃの処理へ移行し、呼び出しがない場合、ステップＳ４Ｃの処理へと移行する。
【００４９】
ステップＳ６Ｃでは、制御部１００は、車載用放送受信装置５０が印刷機能に対応していないので、その旨をＢＭＬブラウザに返す。この場合、ＡＲＩＢ規約により、印刷機能に対応している場合は「１」を返し、対応していない場合は「０」を返す取り決めになっているため、「０」を返すようになっている。
また、印刷機能の有無を調査する問い合わせがあったことでデータ放送に印刷許可コンテンツが含まれていることが判り、その旨がＢＭＬブラウザから制御部１００に通知されることで、制御部１００は、印刷許可コンテンツが含まれていることを検出できる。これによって、制御部１００は、印刷許可コンテンツが含まれているかを監視する監視部として機能する。
【００５０】
この場合、ＢＭＬブラウザは、戻り値が「０」（印刷機能に非対応）なので、ＥＣＭＡスクリプトの制御文に従い、印刷ボタンを非表示、若しくは、印刷非対応の旨をブラウザ画面に表示し、ＥＣＭＡスクリプトに従って続きの制御を実行する（ステップＳ７Ｃ）。
制御部１００は、リモート録画予約機能（印刷時）の初期設定（設定情報）を確認し（ステップＳ８Ｃ）、リモート録画予約機能（印刷時）が「ＯＮ」であれば（ステップＳ９Ｃ：ＯＮ）、印刷用録画予約タスクを起動する（ステップＳ１０Ｃ）。
一方、リモート録画予約機能（印刷時）が「ＯＦＦ」であれば（ステップＳ９Ｃ：ＯＦＦ）、制御部１００は、印刷用録画予約タスクを起動しない（ステップＳ１１Ｃ）。
【００５１】
図１０及び図１１は、印刷用録画予約タスク起動後の流れを示すフローチャートである。
この図に示すように、制御部１００は、まず、画面タスクトレイ上にリモート録画予約（印刷）アイコン（以下、適宜、印刷アイコンという）を表示し（ステップＳ１Ｄ）、ユーザーからのリモート録画予約（印刷）要求を待機する（ステップＳ２Ｄ）。そして、操作部を介してユーザーが印刷アイコンを操作すると（ステップＳ３Ｄ：ＹＥＳ）、リモート録画予約（印刷）要求として制御部１００に通知され、制御部１００は、ユーザーが初期設定で選択した録画予約管理サーバーへ接続すべく、ステップＳ１０Ｄの処理へ移行する。
ここで、ユーザーが印刷アイコンを操作しない場合（ステップＳ３Ｄ：ＮＯ）、制御部１００は、現在受信中の番組が終了前であれば（ステップＳ４Ｄ：ＮＯ）、ステップＳ２Ｄの処理へ移行する一方、現在受信中の番組が終了すれば（ステップＳ４Ｄ：ＹＥＳ）、印刷アイコンを非表示にして印刷用録画予約タスクを終了する。
【００５２】
また、制御部１００は、データ通信カード５２が正常動作していない場合（ステップＳ１０Ｄ：ＮＯ）、「データ通信カードを確認した後、再試行して下さい。」と表示するユーザー報知処理を行い（ステップＳ３１Ｄ）、ＷＥＢブラウザを閉じてステップＳ２Ａの処理に移行し、また、通信接続ＮＧの場合（ステップＳ１２Ｄ：ＮＧ）、「現在、録画予約管理サーバーに接続できません。」と表示するユーザー報知処理を行い（ステップＳ３２Ａ）、ＷＥＢブラウザを閉じてステップＳ５Ａの処理に移行する。
【００５３】
制御部１００は、ステップＳ１０Ｄの処理では、データ通信カード５２が正常動作しているか否かを判定し、正常動作していれば（ステップＳ１０Ｄ：ＹＥＳ）、ＷＥＢブラウザを起動し、初期設定の際に特定された録画予約管理サーバー３１のサイトＵＲＬを用いて通信接続を行い（ステップＳ１１Ｄ）、通信接続ＯＫであれば（ステップＳ１２Ｄ：ＯＫ）、ログイン画面に接続されるので、オートコンプリート（自動入力）機能によりＩＤ、パスワードが自動入力され、ログインボタンにフォーカスされる（ステップＳ１３Ｄ）。
この場合、制御部１００は、「リモート録画予約サービスサイトに接続します。接続できましたらログインして録画予約を行ってください。」と表示し、ユーザーにログインを促す。このようにして、印刷アイコンを操作すると、リモート録画予約のためのログイン画面へ案内され、ユーザーが操作部６４を介してログインボタンを操作すると、容易にログインすることができる。
【００５４】
ログインした場合、制御部１００は、車載用放送受信装置５０の動作状態の情報を保持するステータス情報に基づいて、この受信装置５０で視聴中の番組を特定し、ＷＥＢブラウザにより録画予約管理サーバー３１に対し、録画番組選択項目については番組表の中から視聴中の番組をオートセレクトし、録画モード選択項目についてはＴＳ録画モードをオートセレクトし、録画予約実行ボタンをフォーカスする（ステップＳ１４Ｄ）。
続いて、ユーザーが録画予約実行ボタンを操作後、録画予約管理サーバー３１が録画予約ジョブを受け付けたら、ＷＥＢブラウザによりログアウトボタンをフォーカスし（ステップＳ１５Ｄ）、ユーザーによりログアウトボタンが操作され、ログアウトしたら、制御部１００は、ＷＥＢブラウザを閉じ、元の表示画面（視聴していたテレビ番組又は電子番組を表示した画面）に自動復帰させ（ステップＳ１６Ｄ）、予約結果確認メールの受信を待機する（ステップＳ１７Ｄ）。
【００５５】
そして、制御部１００は、予約結果確認メールを受信すると（ステップＳ１８Ｄ）、メール内容を解析し（ステップＳ１９Ｄ）、録画の予約成功か失敗かの旨を音声合成処理による音声出力或いは映像出力等でユーザーに報知する報知処理を行う。
具体的には、制御部１００は、メール内容を解析した結果、予約成功であれば（ステップＳ２０Ｄ：ＹＥＳ）、成功の旨を音声出力或いは映像出力等でユーザーに報知し（ステップＳ２１Ｄ）、予約失敗であれば（ステップＳ２０Ｄ：ＮＯ）、失敗の旨を音声出力或いは映像出力等でユーザーに報知する（ステップＳ３３Ｄ）。
【００５６】
また、予約成功である場合、制御部１００は、この予約内容をリモート録画予約リストに追加する処理を行う（ステップＳ２２Ｄ）。この処理は、前述したステップＳ１８Ａ、Ｓ１９Ａ、Ｓ３４Ａの処理と同様であり、すなわち、制御部１００は、予約結果確認メール内に予約内容の情報（例えば、録画番組のチャンネル、放送日時、番組名等）が記述されているか否かを判定し（ステップＳ１８Ａ）、記述されていれば、メール内の予約内容の情報を、予め規定された録画予約リストに追加し（ステップＳ１９Ａ）、記述されていなければ、制御部１００が取得できる範囲の予約内容（本実施形態では、予約日時）を、上記録画予約リストに追加する（ステップＳ３４Ａ）。
【００５７】
また、制御部１００は、画面タスクトレイに表示していた印刷アイコンを非表示にし、自宅で録画中（ＨＯＭＥ録画動作中）であることをユーザーに報知すべく、ＨＯＭＥ録画動作中アイコンに切り換え表示する（ステップＳ２３Ｄ）。
そして、予約した番組の放送が終了すると、制御部１００は、ＨＯＭＥ録画動作中アイコンを非表示にし、自宅の録画が終了（ＨＯＭＥ録画終了）したことをユーザーに報知すべく、ＨＯＭＥ録画終了アイコンに切り換え表示し、一定時間経過したらＨＯＭＥ録画終了アイコンを非表示にする。以上が印刷用録画予約タスク起動後の動作である。すなわち、本実施形態では、制御部１００やデータ通信カード５２等の各構成が協調動作することによって、車両外に設置された録画装置２１の録画設定を行う遠隔録画制御部が構成される。
【００５８】
以上説明したように、本実施形態の車載用放送受信装置５０では、デジタル放送のデータ放送再生時に印刷許可コンテンツが含まれるか否かを監視し、印刷許可コンテンツが含まれる場合に、車両外に設置される録画装置２１のリモート録画予約へ誘導するので、その印刷許可コンテンツを含む番組をリモート録画することができる。このため、ユーザーは、リモート録画した録画装置２１で録画した番組を再生してデータ放送を起動し、ブラウザ画面上の印刷ボタンを操作することでプリンタ２５から印刷出力することができる。従って、データ放送に印刷許可コンテンツがあった場合にその場で印刷できない車両内のユーザーの不便性を解消することができる。
【００５９】
しかも、本実施形態では、リモート録画時に、印刷許可コンテンツを含む番組及び録画モード（ＴＳ録画モード）を自動設定するので、印刷許可コンテンツを確実に印刷可能に録画することができる。
また、車載用放送受信装置５０は、印刷許可コンテンツが含まれる場合、リモート録画予約（印刷）アイコンを表示して録画を行うか否かをユーザーに選択させるので、ユーザーが希望する番組を的確に録画することができ、ユーザーの意志を適切に反映して適切に録画することができる。
また、車載用放送受信装置５０は、印刷許可コンテンツを含むデータ放送を録画設定する機能がＯＮ（有効）かＯＦＦ（無効）かを記述した設定情報を記憶し、ＯＮ（有効）の場合にだけ、印刷許可コンテンツを含むデータ放送の録画設定を行うので、機能のＯＮ・ＯＦＦが可能である。
【００６０】
さらに、車載用放送受信装置５０は、録画予約管理サーバー３１とデータ通信して録画装置２１に録画設定を行うので、既存のリモート録画対応の録画装置２１や録画予約管理サーバー３１を利用して録画することができる。
また、車載用放送受信装置５０は、録画予約管理サーバー３１から送信された予約結果確認メールを受信し、予約結果確認メールを解析して録画設定できたか否かを音声出力や映像出力で報知するので、ユーザーが録画設定できたか否かを容易に知ることができる。この場合、制御部１００の制御の下、スピーカ９２を介して音声報知する構成やディスプレイ６７を介して映像報知する構成が報知部として機能する。
【００６１】
＜第２実施形態＞
第２実施形態では、印刷許可コンテンツ監視処理が異なる。この印刷許可コンテンツ監視処理では、デジタル放送の番組データを再生している場合に、データ放送に印刷許可コンテンツが含まれるか否かを先読みする。
図１２は、印刷許可コンテンツ監視処理の流れを示すフローチャートである。
この印刷許可コンテンツ監視処理は、ユーザーがデジタルテレビをモード選択し、車載用放送受信装置５０で地上デジタル放送を受信し、番組データを再生開始したら実行される。
まず、制御部１００は、チャンネル選局時や次番組移行時、データ放送のデータ取得を行い（ステップＳ１Ｅ）、番組データ再生中でデータ放送を起動していない場合に、ＢＭＬブラウザを、データ放送を解析する先読みモード（裏モード）で起動させ（ステップＳ２Ｅ）、番組データ再生中の状態で、データ放送の先読み（ＥＣＭＡスクリプト等のデータ解析）を行わせる（ステップＳ３Ｅ）。
【００６２】
制御部１００は、ＢＭＬブラウザの解析結果を取得すると（ステップＳ４Ｅ）、ＢＭＬブラウザの先読みモードを終了させ（ステップＳ５Ｅ）、解析結果を解読し（ステップＳ６Ｅ）、データ放送に印刷許可コンテンツが含まれているか否かを判定する（ステップＳ７Ｅ）。
次いで、制御部１００は、データ放送に印刷許可コンテンツが含まれている場合（ステップＳ７Ｅ：ＹＥＳ）、リモート録画予約機能（印刷時）の初期設定（設定情報）を確認し（ステップＳ８Ｅ）、リモート録画予約機能（印刷時）が「ＯＮ」であれば（ステップＳ９Ｅ：ＯＮ）、印刷用録画予約タスクを起動する（ステップＳ１０Ｅ）。
一方、データ放送に印刷許可コンテンツが含まれていない場合（ステップＳ７Ｅ：ＮＯ）、及び、リモート録画予約機能（印刷時）が「ＯＦＦ」であれば（ステップＳ９Ｅ：ＯＦＦ）、制御部１００は、印刷用録画予約タスクを起動しない（ステップＳ１１Ｅ）。以上が印刷許可コンテンツ監視処理であり、印刷用録画予約タスクは、第１実施形態と同様である。
【００６３】
本実施形態によれば、番組データを再生している場合にデータ放送の先読みによって印刷許可コンテンツがあるか否かを判定するので、第１実施形態の各種効果に加え、データ放送内に印刷許可コンテンツがあった場合にいち早くユーザーに通知することができる。このため、ユーザーへの通知開始（つまり、印刷アイコンの表示開始）のタイミングから番組終了までの時間を長くとることができ、ユーザーに与えるリモート録画予約のための猶予期間を長くとれ、録画予約に失敗する確率を下げることができる。
また、この先読み通知の方法を用いた場合は、リモート録画予約（印刷）アイコンの表示により、番組を視聴するユーザーに印刷許可コンテンツがある旨の通知ができるので、ユーザーに関心を持たせ、データ放送を閲覧確認するように促すことができる。
【００６４】
上述した各実施形態は、あくまで本発明の一態様に過ぎず、本発明の範囲内で任意に変形が可能である。例えば、上述の各実施形態では、車載用放送受信装置５０に本発明を適用したが、テレビ機能を具備したカーナビゲーション装置等の車載装置等、印刷非対応のデータ放送受信装置に広く適用してもよい。
【符号の説明】
【００６５】
１０  データ放送記録システム
１１  ホームネットワークシステム
２１  録画装置
２３  テレビ
２５  プリンタ（印刷対応プリンタ）
３１  録画予約管理サーバー
５０  車載用放送受信装置（データ放送受信装置）
１００  制御部（遠隔録画制御部、監視部）
【図１】
2011091470.tif 000003
【図２】
2011091470.tif 000004
【図３】
2011091470.tif 000005
【図４】
2011091470.tif 000006
【図５】
2011091470.tif 000007
【図６】
2011091470.tif 000008
【図７】
2011091470.tif 000009
【図８】
2011091470.tif 000010
【図９】
2011091470.tif 000011
【図１０】
2011091470.tif 000012
【図１１】
2011091470.tif 000013
【図１２】
2011091470.tif 000014